(57)【要約】【課題】チタンと金というように、互いにロー付けしにくい異なる金属を組み合わせて構成されたテンプルおよびそのテンプルを使用した眼鏡を提供することを目的とする。【解決手段】眼鏡のテンプルの主体となる金属と、該金属と異なる種類の金属である装飾部材とを組み合わせて構成されたテンプルにおいて、（１）装飾部材の一端をコマ構造にし、該装飾部材のコマとテンプル主体部材のコマとでヨロイのコマを挟んでネジなどで留めてヒンジ機構を構成する手段、（２）装飾部材のコマと反対方向の端を、固定部材を用いてテンプル主体部材に固定する手段、を備えたことを特徴とする異種金属組み合わせテンプルおよびそのテンプルを使用した眼鏡であり、前記固定部材は、テンプル主体部材を差し込む貫通孔と、装飾部材の先端を差し込む嵌合穴とから構成され、装飾部材とテンプル主体部材を固定するために用いられるものとする。【選択図】　図４
2004101844.tif 000002
【特許請求の範囲】
【請求項１】
眼鏡のテンプルの主体となる金属と、該金属と異なる種類の金属である装飾部材とを組み合わせて構成されたテンプルにおいて、
（１）装飾部材の一端をコマ構造にし、該装飾部材のコマとテンプル主体部材のコマとでヨロイのコマを挟んでネジなどで留めてヒンジ機構を構成する手段、
（２）装飾部材のコマと反対方向の端を、固定部材を用いてテンプル主体部材に固定する手段、
を備えたことを特徴とする異種金属組み合わせテンプル。
【請求項２】
請求項１に記載の異種金属組み合わせテンプルに用いられる固定部材において、
テンプル主体部材を差し込む貫通孔と、装飾部材の先端を差し込む嵌合穴とから構成された固定部材を用い、テンプル主体部材を貫通孔に差し込むとともに、装飾部材の先端を嵌合穴に差し込み、貫通孔部をかしめやロー付けなどして固定部材を安定させ、装飾部材とテンプル主体部材を固定する手段、
を備えたことを特徴とする異種金属組み合わせテンプル。
【請求項３】
請求項１に記載の異種金属組み合わせテンプルに用いられる固定部材において、
一方がテンプル主体部材を通す溝であり、他方を装飾部材の先端を差し込む窪みである固定部材を用い、固定部材の溝にテンプル主体部材をはめ、該固定部材の窪みに装飾部材の先端部を曲げて挿入し、両金属部材の弾力性で固定部材を挟むことによって装飾部材をテンプル主体部材に安定装着する手段、
を備えたことを特徴とする異種金属組み合わせテンプル。
【請求項４】
請求項１に記載の異種金属組み合わせテンプルにおいて、
ヨロイと反対側のコマ近傍に補強部材でテンプル主体部材と装飾部材をつなぎ合わせることによって、装飾部材を安定的に固定する手段、
を備えたことを特徴とする異種金属組み合わせテンプル。
【請求項５】
請求項１に記載の異種金属組み合わせテンプルにおいて、
テンプル主体部材のコマ付近に凸部を設け、装飾部材には該凸部に対応する位置に凹部を設け、装飾部材を取り付けるときに凸部と凹部を嵌合させて安定補強する手段、
を備えたことを特徴とする異種金属組み合わせテンプル。
【請求項６】
請求項１〜５のいずれかの手段を用いて異種金属を組み合わせて構成されたテンプルを使用した眼鏡。
【発明の詳細な説明】
【０００１】
【発明が属する技術分野】
本発明は、異なる金属を組み合わせて構成されたテンプルおよびそのテンプルを使用した眼鏡に関する。詳しくは、チタンと金、チタン合金と金といった、互いにロー付けしにくい異種金属を組み合わせることによって、テンプルに装飾を施す手段を備えたテンプルと該テンプルを使用した眼鏡に関する。
【０００２】
【従来の技術】
【特許文献１】特開２００１−３５０１２０号公報
【特許文献２】特開平０５−０５０２６８号公報
【０００３】
テンプルは、眼鏡を顔面に安定して掛けるための眼鏡部品である。最近は様々な素材があり、その選択肢も広がっている。加工のしやすさやコストが安いなどの理由からプラスチックや合成樹脂を用いたテンプルがある一方、豪華さを醸し出すために金製や宝石を埋め込んだテンプルなどがある。金属製の素材は丈夫で弾力性があるといったメリットがある反面、重く、アレルギー源になるなどのマイナス面もある。金だけで作ったテンプルは上記の金属のマイナス面をカバーできるが、強度の面で問題があり、また金だけを用いたテンプルは高価すぎるなどの問題点もある。そこで注目を浴びている金属としてチタンあるいはやチタン合金がある。チタンは丈夫で軽い金属であり、アレルギー源となることもないなどの利点がある。チタン製の時計に人気が集まっているのも、このような理由からである。
【０００４】
しかしチタン自体、見た目は地味である。しかも金のように、選択した金属によってはロー付けが難しい。そこで、チタンを使用したテンプルに金を装飾したい場合には、チタンに溝を彫り、金を埋め込んでかしめるといった方法が採られている。『異種金属複合眼鏡枠』（特許文献１）では、装飾となる中空の貴金属部材を眼鏡枠用金属部材に差し込み、嵌合部をプレス接合することによって異種金属の接合を行っている。また『チタン・ニッケル合金製部品と異種金属部品との接合方法』（特許文献２）では、チタン・ニッケル合金部品の接合部を厚肉に成形して、この厚肉の接合部を異種金属部品の所定部位に当て、厚肉接合部を高温度に発熱して溶接している。
【０００５】
【発明が解決しようとする課題】
金属製のテンプルは丈夫であり、弾力性もある。しかし、一般に重い、錆やすいなどの欠点がある。これに対してチタンあるいはその合金は軽く、錆びにくいという利点がある。しかも金属アレルギーを起こすことがないので、金属アレルギーのある人にも優しい素材となっている。
【０００６】
しかし、チタンあるいはその合金には、他の金属とロー付けしにくいという欠点がある。このようなマイナス面を解決した発明として、従来技術で挙げた『異種金属複合眼鏡枠』や『チタン・ニッケル合金製部品と異種金属部品との接合方法』などがある。
【０００７】
それぞれの技術にはそれぞれのメリットもあるが、またマイナス面もある。例えば『チタン・ニッケル合金製部品と異種金属部品との接合方法』では高電圧を用いなければならないし、窪みを彫って埋め込む方法では細かな作業が必要となるなどのマイナス面がある。
【０００８】
そこで本発明が解決しようとする課題は、組立細工が容易であり、どのような異種金属同士でも組み合わせることができる方法を提唱することである。また本発明では、装飾用となる金属を容易に取り替えられることも念頭に置いている。
【０００９】
【課題を解決するための手段】
上記の課題を解決するために、本発明では、テンプルをテンプルの主体となる部材に装飾用の部材を取り付ける構造とする。ここでテンプルの主体となる部材を「テンプル主体部材」または略して「主体部材」と呼び、装飾用の部材を「装飾部材」と呼ぶ。双方とも金属であり、主体部材は丈夫で軽く、弾力性のある金属を選び、装飾部材には貴金属を選ぶ。例えば前者はチタン、後者は金などである。このような異種金属は直接ロー付けすることが難しいために、本発明では装飾部材にもコマ部を設け、主体部材のコマとともにネジ留めあるいはピン留めによってヨロイに装着してヒンジ機構を形成し、装飾部材の他端を固定部材を用い主体部材と固定する。具体的には以下の構造のテンプルとなっている。
【００１０】
眼鏡のテンプルの主体となる金属と装飾部材とからなる、それぞれが異なる金属を組み合わせて構成されたテンプルにおいて、装飾部材の一端をコマ構造にし、該装飾部材のコマと主体部材のコマとでヨロイのコマを挟んでネジやピンなどで留めてヒンジ機構を構成するとともに、装飾部材のコマと逆方向の端を固定部材を用いてテンプル主体部材に固定する。ただし、装飾部材の交換を容易にするためには、コマ部の固定にネジを用いることが好ましい。
【００１１】
固定部材で固定させる部分を、固定部材を用いずに直接装飾部材を主体部材に巻き付けて固定することもできるが、見た目に見栄えがしない。このため、本発明では固定部材を用いている。その意味において、固定部材そのものも装飾の意味合いがあり、様々なデザインの固定部材が考えられる。固定部材の基本的に構造は以下の二通りある。
【００１２】
固定部材においては、主体部材を差し込む貫通孔と、装飾部材の先端を差し込む嵌合穴とから構成された構造を基本とする。固定部材で装飾部材を主体部材に取り付けるには、固定部材の貫通孔に主体部材を差し込み、かつ装飾部材の先端を嵌合穴に嵌合し、貫通孔の部分をかしめやロー付けなどする。
【００１３】
もう一つの固定部材は溝と、溝の逆面に窪みを持つ構造としたものである。この固定部材で装飾部材と主体部材を安定的に固定するには、固定部材の溝に主体部材を嵌合させ、装飾部材の先端を固定部材の窪みに差し込む。すなわち、固定部材は装飾部材と主体部材の弾性力で挟む形になる。この構造の固定部材では、宝石や様々な色や形状の金属部材以外の素材も使用することができる。
【００１４】
後者の固定部材の場合には、装飾部材と主体部材で固定部材を挟む形になっている。従って、より安定的に装飾部材を固定するために、補強部材を使用する。補強部材はピン形状であり、主体部材のコマ近辺にピンをロー付けし、ピンの先端を予め装飾部材に設けた凹に差し込み、コマをネジやピンで留める。これにより、装飾部材と主体部材間の捻れ方向の力に対する補強となる。もう一つの構造は補強部材を使用しないで、予め主体部材に凸部と装飾部材に凹部を設けておき、凸部を凹部に噛み合わせて捻れ方向に対する補強を行う方法である。もちろん、凸部を装飾部材に設け、凹部を主体部材に設ける形でもよいが、一般に主体部材の方が丈夫な金属であるために、前者の方が優れている。
【００１５】
【発明の実施の形態】
本発明の実施の形態を図を用いて説明する。図１は、コマ部の基本構造である。（ａ）はネジ留め前、（ｂ）はネジ留め後である。テンプル１はテンプル主体部材２（主体部材）と装飾部材３とから構成される。コマの構造は必ずしも図の通りである必要はなく、図は一例として挙げてある。主体部材のコマ２１０はネジ孔２１１と開き止め２１２からなり、装飾部材はコマ３１０とネジ孔３１１とからなる。また眼鏡のフロント枠と連結しているヨロイ４のコマ４１０はネジ孔４１１と開き止め４１２とから構成されている。各孔をあわせてネジ５で留めれば、コマによってテンプルが開閉する（ヒンジ機構）。ただしヨロイの開き止め４１２と主体部材の開き止め２１２によって約９０゜以上は開かない。（ｂ）はテンプルを一杯に開いた状態であり、双方の開き止めによって、これ以上矢印の方向（図の拡開方向）に動かない状態である。
【００１６】
図２の（ａ）は、固定部材の基本構造である。固定部材６は貫通孔６１０と嵌合穴６２０からなり、（ｂ）で示すように主体部材２を貫通孔６１０に通し、装飾部材３を嵌合穴６２０に差し込む。装飾部材の先端が嵌合穴の底６２１に届いてもよいし、届かなくてもよい。ただし必ず一部が嵌合穴に差し込まれていなければならない。また主体部材の入口と出口の所をロー付け、接着剤あるいはかしめるなどして、装飾部材が主体部材の上を滑らないようにする。図では貫通孔も嵌合穴も円筒形にしているが、主体部材と装飾部材の形状に合わせた形状にする。ロー付けの場合には、固定部材は主体部材にロー付けしやすい素材を選ぶ必要がある。またかしめる場合には、主体部材の貫通部（貫通孔６１０の位置）に切り欠きを入れておき、主体部材を貫通孔に挿入後、貫通孔を潰して主体部材に固定部材を固定させる方法を採ってもよい。以上、コマ部と固定部材によって装飾部材は主体部材に安定的に固定され、主体部材とともに開閉する。
【００１７】
図２の形状の固定部材ではあまりにも味気ない。そこで様々なデザインを施した固定部材を用いれば、固定部材そのものを装飾とすることもできる。例えば、図３は鞍形デザインの固定部材６の例である。貫通孔６１０に主体部材２を通し、嵌合穴６２０の底６２１に届くまで装飾部材３を差し込む。一方、コマ部をネジ留めすれば、異種金属組み合わせテンプルが完成する。図４は完成図である。レンズ７にヨロイ４が装着され、コマ４１０が主体部材２のコマ２１０と装飾部材３のコマ３１０とともにネジ留めされている。装飾部材は変形した“く”の字形に折り曲げられ、固定部材６の付近で主体部材と接しながら固定部材の嵌合穴に嵌合されている（図のｌ、ｍは切断位置で、（Ｌ）、（Ｍ）はｌ、ｍに対応した断面図である）。なお１１０はテンプルエンドで、合成樹脂などをかぶせた「モダン」と呼ばれる部分である。
【００１８】
図５は合成樹脂や宝石などの素材で作った固定部材である。（ａ）において、固定部材６に溝６３０と窪み６４０を彫っておく。組み立てるときに、溝６３０に主体部材２を合わせ、自然な滑らかな曲線で描かれた窪み６４０に装飾部材３の先端を挿入して固定部材６を押さえる形にする。この例ではヨロイ方向に装飾部材と主体部材に捻りを入れて弾性力を生んでいる。図６は図５の固定部材を用いて装飾部材を取り付け組み立てた異種金属組み合わせテンプルの側面図である。基本的に図４と同じであるが、主体部材２と装飾部材３を捻ってあることと、固定部材６が窪み６４０と溝６３０からなる構造をしている点が異なる。ｌ断面は固定部材のほぼ中央部で、ｍ断面は装飾部材の先端が窪みに触れる辺りで、それぞれの部材を切断したときの断面の様子を表している。固定部材は主体部材と装飾部材の弾性力で固定され、溝と窪みによって装飾部材が主体部材から外れることを防いでいる。図７に上面図と正面図を載せておく。なお上面図は眼鏡を掛けたときの頭上方向から見た図であり、正面図は眼鏡を掛けた人の顔の外部正面から見た図である。
【００１９】
上記の例では捻れを入れてあるが、必ずしも捻れは必要ない。大切なことは、主体部材と装飾部材の弾性力で安定的に挟み込むことである。捻れを使わない例は実施例で挙げる。弾性力を利用するために、場合によってはコマの部分にもその力が及び、コマの回転を悪くすることがある。また固定部材での留めが弾性力のみであるから、捻れ方向に弱い場合がある。そこで、コマ付近に補強部材を使って捻れ防止とコマへの必要以上の力が掛からないようにする。その例が図８である。（ａ）に示すように、主体部材２に凸部２１３を設け、装飾部材３に凸部に対応する凹部３１３を設けておく。組立は簡単で、凸部２１３を凹部３１３に挿入し、コマ２１０、３１０、４１０をネジ５で留めるだけでよい。（ｂ）は完成図である。なお凸部はピンを主体部材にロー付けしたものを使用してもよい。
【００２０】
【実施例】
固定部材のデザインや、装飾部材の素材、デザインなどに様々なバリエーションを持たせることによって、個々の顧客の好みに合わせた飾りができる。図９は貫通孔を有する固定部材の例である。この例では主体部材２にチタン、装飾部材３に金（Ｋ１８）を使用している。構造的には図４と同じで、固定部材６のデザインのみが違っている。なお参考のため、寸法を載せておく。数値の単位はミリメーター（ｍｍ）である。
【００２１】
図１０の固定部材は、貫通孔と溝を組み合わせた例である。固定部材６の主体部材２側が貫通孔の途中から溝になっている。装飾部材３側は窪みになっている。窪みは穴（装飾部材の先端部を隙間なく嵌合させる穴）であってもよい。図１１は、図１０で使用している固定部材の構造を説明するための側面図（テンプルを顔に掛けたときの横顔方向から見た図）である。（ａ）は固定部材を側面から見た図で、６３０の左側（ヨロイ側）が貫通孔、右側（テンプルエンド側）が溝になっている。一方、窪み６４０（どちらかと言えば嵌合穴に近い形状）はヨロイとは反対側に設けてあり、装飾部材を引っかけられる形になっている。（ｂ）は主体部材と装飾部材を取り付けた図である。固定部材を主体部材にロー付けすれば安定的に固定できるが、図のままでも装飾部材と主体部材の弾性力で固定することができる。より安定させるには、図１２に示すように固定部材６の外周形状に合わせて装飾部材３を曲げて挟持部３１２を作れば、固定部材を抱えるような形になるために安定する。宝石や飾り玉などの固定部材を使う場合などのように、主体部材にロー付けのできない固定部材を使用する場合には、この方法は適している。
【００２２】
図１０では捻れを入れていない。捻れを入れなくても、金属素材の弾力性だけでもある程度固定部材を押さえられる。しかも貫通孔と挟持部とによって、安定した固定が可能となる。固定部材の素材として金を使用した場合には加工がしやすいために、図１２に示す挟持部３１２に対応した固定部材の位置に浅い溝を入れてもよい。主体部材をチタン、装飾部材と固定部材を金にすることによって、金の豪華さをよりいっそう演出することができる。主体部材がチタンであるから、丈夫で軽いテンプルとすることができる。
【００２３】
【発明の効果】
本発明は異種金属を組み合わせたテンプルに関するものである。異種金属を組み合わせることによって、テンプル主体部材に丈夫で軽い金属を用い、装飾部材に豪華さを演出する飾り用の金属を用いることによって、装飾性に富み、軽くて丈夫なテンプルを成形することができる。例えば主体部材にチタンあるいはチタン合金を用い、装飾部材に金を用いることによって、チタンの丈夫さと金の豪華さをもつテンプルとすることができる。
【００２４】
しかし、チタンと金はロー付けが難しい。その点、本発明ではコマと固定部材で装飾部材を固定する方法を採っているために、装飾部材と主体部材を直接ロー付けする必要はない。また装飾部材は固定部材に差し込む方法を採っているために、固定部材と主体部材がロー付けされていても、装飾部材を好みに合わせて容易に交換できる。
【００２５】
固定部材は装飾部材を安定的に主体部材に装着するために用いるものであるが、固定部材そのものも飾りとすることができる。例えば上記に挙げたいくつかの例のように、主体部材との接触部を溝形にした形態では、固定部材そのものが交換できるために、装着者は固定部材を複数買い求め、その日の好みに合わせて固定部材を交換することもできる。貫通孔の場合にはテンプルエンド側で外さなければならないため、個人が簡単に固定部材を交換することは難しい。しかしモダンを外せばよいので、交換が不可能ではない。溝形の場合には、この点の問題もなく、素人にも容易に交換できる。
【図面の簡単な説明】
【図１】本発明の異種金属組み合わせテンプルの丁番部の構造（ヒンジ機構）を説明するための斜視図である。
【図２】本発明の異種金属組み合わせテンプルで用いる固定部材の基本構造を説明するための斜視図である。
【図３】本発明の異種金属組み合わせテンプルで用いる鞍形固定部材の斜視図である。
【図４】図３の固定部材を使って組み立てた、本発明の異種金属組み合わせテンプルの側面図である。
【図５】本発明の異種金属組み合わせテンプルで用いる、溝と窪みを有する固定部材の斜視図である。
【図６】図５の固定部材で組み立てた、本発明の異種金属組み合わせテンプルの側面図である。
【図７】図５の固定部材で組み立てた、本発明の異種金属組み合わせテンプルの正面図と上面図である。
【図８】本発明の異種金属組み合わせテンプルの補強部の構造を説明するためのコマ付近の斜視図である。
【図９】本発明の異種金属組み合わせテンプルの一例を示すテンプルの正面、上面、側面図である。
【図１０】本発明の異種金属組み合わせテンプルの一例を示すテンプルの正面、上面、側面図である。
【図１１】図１０で使用している固定部材の構造を説明するための側面図（テンプルを顔に掛けたときの横顔方向から見た図）である。
【図１２】図１０で使用している固定部材に装飾部材を安定的に取り付けるための、工夫の一例を説明するための側面図である。
【符号の説明】
１　　　　テンプル（テンプル主体部材と装飾部材からなるテンプル）
１１０　　テンプルエンドまたはモダン
２　　　　テンプル主体部材（本文では主に“主体部材”と記述）
２１０　　コマ
２１１　　ネジ孔
２１２　　開き止め
２１３　　ピンまたは凸部（凸部は主体部材の一部として加工したもの）
３　　　　装飾部材
３１０　　コマ
３１１　　ネジ孔
３１２　　挟持部
３１３　　凹部
４　　　　ヨロイ
４１０　　コマ
４１１　　ネジ孔
４１２　　開き止め
５　　　　ネジ
６　　　　固定部材
６１０　　貫通孔
６２０　　嵌合穴
６２１　　嵌合穴の底
６３０　　溝（溝と貫通孔の組み合わせの場合もある）
６４０　　窪みまたは嵌合穴
窪みはなだらか凹みの意味
嵌合穴は装飾部材の先端部と同じ形状の穴を意味
７　　　　レンズ
【図１】
2004101844.tif 000003
【図２】
2004101844.tif 000004
【図３】
2004101844.tif 000005
【図４】
2004101844.tif 000006
【図５】
2004101844.tif 000007
【図６】
2004101844.tif 000008
【図７】
2004101844.tif 000009
【図８】
2004101844.tif 000010
【図９】
2004101844.tif 000011
【図１０】
2004101844.tif 000012
【図１１】
2004101844.tif 000013
【図１２】
2004101844.tif 000014